【手続補正書】
【提出日】平成30年2月5日(2018.2.5)
【手続補正１】
【補正対象書類名】明細書
【補正対象項目名】０００３
【補正方法】変更
【補正の内容】
【０００３】
内燃機関の排ガス中の固体粒子を測定するための凝縮核カウンターのための、現在の標準的な作業用液体は１−ブタノール（ｎ−ブタノール）であり、例えば、欧州特許第２  ２０８  ９８３  Ｂ１号明細書（特許文献３）に記載されている。この作業用液体の主要な欠点は、排ガスとの化学的反応性である。アルコールは、酸性の排ガス成分とエステルを形成し、これは、結果として凝縮核カウンターの芯成分中に蓄積し、そして、ガスの飽和度を低下させる。更なる実際上の欠点とは、〜３７℃の引火点、つまり、意図される温度の範囲内であることである。
【手続補正２】
【補正対象書類名】明細書
【補正対象項目名】０００４
【補正方法】変更
【補正の内容】
【０００４】
国際公開第０１／３１３１２  Ａ１号パンフレット（特許文献４）においては、凝縮核カウンターのための可能な作業用液体が多く調査されており、その際、化学物質の化学分析のために非常に小さい分子（３ｎｍ未満）の検出に焦点が当てられている。可能な限り小さい検出限界を得るためには、システムは可能な限り小さいケルビン径のものである。カーボンブラックのような排ガス粒子は、国際公開第０１／３１３１２  Ａ１号パンフレット（特許文献４）中で調査された分子よりも明らかに大きいことから、ここでは全く役に立たない。そのため、グリコールはそのような用途に最も適した作業用液体である。というのも、グリコールは、最も小さいケルビン径を可能にするからである。その上、原則的に考え得る、多数の更なる化学物質の他に、アルカン、特に、ヘキサン、ヘプタン、オクタン及びノナンが作業用液体として挙げられるが、いずれもケルビン径において劣っている可能性があり、その故、国際公開第０１／３１３１２  Ａ１号パンフレット（特許文献４）においては、この用途のための好ましい作業液体として記載されてはいない。
【手続補正３】
【補正対象書類名】明細書
【補正対象項目名】０００５
【補正方法】変更
【補正の内容】
【０００５】
国際公開第０１／３１３１２  Ａ１号パンフレット（特許文献４）は、化学物質（例えば、アルカン）の群から選択される作業液体が、最も適切な作業液体として選択できるような別の方法を開示している。そのために、該作業液体の相対誘電率εｒを援用し、そして、最大誘電率を有する化学種として分類される作業液体が選択されるべきである。その場合、相対誘電率は、例えば、対応する表又は明細書から知られているように、いくつかの物質に対するパラメーターである。また、この基準によれば、国際公開第０１／３１３１２  Ａ１号パンフレット（特許文献４）のアルカンは、最も適した作業液体に分類されている。というのも、そのεｒ〜２を有する相対誘電率は、作業液体としてより好ましいグリコール（εｒ〜４１）又はグリセリン（εｒ〜４７）よりも桁違いに小さいからである。大気研究の分野で使用される代替的なものは、作業液体としての水の使用である（国際公開第０１／３１３１２  Ａ１号パンフレット（特許文献４）参照）。しかしながら、内燃機関の排ガスの場合において具体的に使用する場合、水は適用できない。というのも、水は、排ガス中のカーボンブラック粒子を成長させることについて十分に信頼できないからである。この他に、水蒸気の大気中への高い拡散性に起因して、水は、基本的に別の系構成を必要とし、そのため、従来の排ガスのための凝縮核カウンターでは使用できなかった。それ故、対象となる使用における作業液体としての水は、代替物として有意ではない。
【手続補正４】
【補正対象書類名】明細書
【補正対象項目名】０００６
【補正方法】変更
【補正の内容】
【０００６】
米国特許第７，７７７，８６７  Ｂ２号明細書（特許文献５）からは、凝縮核カウンターの作業液体として、例えば、過フッ化化合物、特に、パーフルオロ−Ｎ−トリアルキルアミン（例えば、パーフルオロ−Ｎ−トリブチルアミン、フッ化ＦＣ−４３）を使用することが知られている。この作業液体の利点は、化学的に不活性な良好な種でありかつ非燃焼性である点である。ただし、この作業液体の欠点は高い密度であり、それによって、例えば、垂直なウィッキング要素を備えた所定の実施形態の凝縮核カウンター中において成長（及び対応する高いガス飽和）させることができず、このことにより、この化合物は制限された使用可能性でしか利用できない。さらに、過フッ化化合物は高価であり、そして、環境に有害であり、そのため、そのような化合物の取扱は煩雑になる。
【手続補正５】
【補正対象書類名】明細書
【補正対象項目名】０００７
【補正方法】変更
【補正の内容】
【０００７】
ロシア国特許第２  ２３７  ８８２  Ｃ１号明細書（特許文献６）は、ネフェロメーターを使ってガス中の芳香族類の粒子濃度を測定するための方法であって、その場合、該芳香族類は、最初に、オゾンを使って凝縮核に変換され、その凝縮核は、引き続いて、作業液体としてテトラデカン又はヘプタデカンを使用して、凝縮により、粒子に成長させることが記載されている。
【手続補正６】
【補正対象書類名】明細書
【補正対象項目名】０００９
【補正方法】変更
【補正の内容】
【０００９】
【特許文献１】米国特許第４，７９０，６５０  Ａ号明細書
【特許文献２】国際公開第１２／１４２２９７  Ａ１号パンフレット
【特許文献３】欧州特許第２  ２０８  ９８３  Ｂ１号明細書
【特許文献４】国際公開第０１／３１３１２  Ａ１号パンフレット
【特許文献５】米国特許第７，７７７，８６７  Ｂ２号明細書
【特許文献６】ロシア国特許第２  ２３７  ８８２  Ｃ１号明細書
【手続補正７】
【補正対象書類名】明細書
【補正対象項目名】００１２
【補正方法】変更
【補正の内容】
【００１２】
国際公開第０１／３１３１２  Ａ１号パンフレット（特許文献４）において、６の原子数ｎを有するｎ−アルカン（ヘキサン）乃至９の原子数ｎを有するｎ−アルカン（ノナン）は、他の公知の作業液体に比較して最も劣った特性を有し、そして、それらアルカンの群内において、より多くの原子数は、より少ない原子数のものよりも、例えば、比較的大きなケルビン径のような、より劣った特性を有する。国際公開第０１／３１３１２  Ａ１号パンフレット（特許文献４）中に提案されている、作業液体を選択する方法は、特にアルカンについては役に立たない。というのも、異なるアルカンは、非常に類似した誘電率を有しており、このことが、上記の基準に基づいた選択を安全に行うことをできなくするからである。にもかかわらず、アルカンの群に対して所与の基準を適用する場合には、好ましい作業液体として、例えば、２．０２４の相対誘電率を有するシクロヘキサンが、それよりも低い相対誘電率を有するｎ−アルカンよりも好ましい。
【手続補正８】
【補正対象書類名】明細書
【補正対象項目名】００１３
【補正方法】変更
【補正の内容】
【００１３】
しかしながら、驚くことに、１０の原子数ｎを有するｎ−アルカン（デカン、Ｈ１０Ｃ２２）、１１の原子数ｎを有するｎ−アルカン（ウンデカン、Ｃ１１Ｈ２４）、及び１２の原子数ｎを有するｎ−アルカン（ドデカン、Ｃ１２Ｈ２６）は、特に、内燃機関からの排ガスに最良に適しており、これは、国際公開第０１／３１３１２  Ａ１号パンフレット（特許文献４）の開示からは予測できないことである。その理由とは、１０の原子数を有するアルカン（デカン）、１１の原子数を有するアルカン（ウンデカン）及び１２の原子数を有するアルカン（ドデカン）が、凝縮核カウンターの所望される作業温度、典型的に、−２０℃〜５０℃において液体であること、そして、排ガス成分、特に、有機酸、水等に対して本質的に非反応性であること、そして、排ガスの構成成分との化学反応、例えば、エステル化等が見られないことが考えられる。さらに、アルカン自体は、一般に、例えば、排ガス中の凝縮物の形態の水と混ざらず、これは、作業液体の汚染を防止するか又は低減する。